(57)【要約】  弾性部と固定部との組み付けのばらつきを防いで組み立て性を向上する。照明光を導光して先端から出射する照明用光ファイバ（１１）と、照明用光ファイバ（１１）の先端よりも基端側を嵌合する弾性材料からなる弾性部（２１）と、弾性部（２１）の側面に固定され、照明用光ファイバ（１１）の径方向に分極し、分極方向に交番電圧が印加されることにより弾性部（２１）を介して照明用光ファイバ（１１）を振動させる複数の圧電素子（２３）と、弾性部（２１）における圧電素子（２３）に対して基端側に間隔をあけた位置を嵌合する嵌合孔を有し、嵌合孔に嵌合させた弾性部（２１）を介して照明用光ファイバ（１１）を片持ち梁状に支持する固定部（２５）とを備え、弾性部（２１）と固定部（２５）が、互いに嵌合状態の組み付け位置を示すマーク（３１，３３）を有する光ファイバスキャナ（１０）を提供する。
2016075758.tif 000002
【特許請求の範囲】
【請求項１】
光を導光して先端から出射する光ファイバと、
該光ファイバの前記先端よりも基端側を嵌合して該光ファイバに振動を伝達可能な弾性材料からなる弾性部と、
該弾性部の側面に固定され、前記光ファイバの径方向に分極し、該分極方向に交番電圧が印加されることにより前記弾性部を介して前記光ファイバを振動させる複数の圧電素子と、
前記弾性部における前記圧電素子に対して基端側に間隔をあけた位置を嵌合する嵌合孔を有し、該嵌合孔に嵌合させた前記弾性部を介して前記光ファイバを片持ち梁状に支持可能な支持部とを備え、
該支持部と前記弾性部が、互いに嵌合状態の組み付け位置を示す指標を有する光ファイバスキャナ。
【請求項２】
前記支持部および前記弾性部の少なくとも一方の前記指標が、外側表面に付されたマークである請求項１に記載の光ファイバスキャナ。
【請求項３】
前記指標が、前記光ファイバの長手方向に沿って延びるライン形状を有する請求項１または請求項２に記載の光ファイバスキャナ。
【請求項４】
前記指標が、前記光ファイバの長手方向に略直交する方向に沿って延びるライン形状を有する請求項１から請求項３のいずれかに記載の光ファイバスキャナ。
【請求項５】
請求項１から請求項４のいずれかに記載の光ファイバスキャナと、
前記光ファイバにより導光する光を発生する光源と、
前記光ファイバから出射された光を集光する集光レンズと、
該集光レンズおよび前記光ファイバスキャナを収容し、前記支持部を保持する外筒とを備える照明装置。
【請求項６】
請求項５に記載の照明装置と、
該照明装置によって被写体に光が照射されることにより、該被写体から戻る戻り光を検出する光検出部とを備える観察装置。
【発明の詳細な説明】
【技術分野】
【０００１】
本発明は、光ファイバスキャナ、照明装置および観察装置に関するものである。
【背景技術】
【０００２】
従来、圧電素子を用いて光ファイバの先端を高速で振動させながら照明光を出射させることにより、被写体上で照明光を走査させる光ファイバスキャナが知られている（例えば、特許文献１参照。）。特許文献１に記載の光ファイバスキャナは、複数の圧電素子を張り付けた略角柱部材の弾性部により光ファイバが支持され、この弾性部が円環状の支持部に組み付けられて内視鏡枠体に保持された構造を有している。
【先行技術文献】
【特許文献】
【０００３】
【特許文献１】特開２０１３−２４４０４５号公報
【発明の概要】
【発明が解決しようとする課題】
【０００４】
しかしながら、特許文献１に記載の光ファイバスキャナは、弾性部と支持部とを一定の位置で組み付ける双方の組み付け位置を定める手段を有していない。そのため、特許文献１に記載の技術では、光ファイバスキャナごとに弾性部と支持部との組み付けにばらつきが生じてしまい、光ファイバから出射させた照明光を被写体に照射する照明光学系に対して光ファイバを精度よく位置合わせすることができないという問題がある。【０００５】
本発明は上述した事情に鑑みてなされたものであって、弾性部と支持部との組み付けのばらつきを防いで組み立て性を向上することができる光ファイバスキャナ、照明装置および観察装置を提供することを目的としている。
【課題を解決するための手段】
【０００６】
上記目的を達成するために、本発明は以下の手段を提供する。
本発明の第１態様は、光を導光して先端から出射する光ファイバと、該光ファイバの前記先端よりも基端側を嵌合して該光ファイバに振動を伝達可能な弾性材料からなる弾性部と、該弾性部の側面に固定され、前記光ファイバの径方向に分極し、該分極方向に交番電圧が印加されることにより前記弾性部を介して前記光ファイバを振動させる複数の圧電素子と、前記弾性部における前記圧電素子に対して基端側に間隔をあけた位置を嵌合する嵌合孔を有し、該嵌合孔に嵌合させた前記弾性部を介して前記光ファイバを片持ち梁状に支持可能な支持部とを備え、該支持部と前記弾性部が、互いに嵌合状態の組み付け位置を示す指標を有する光ファイバスキャナである。【０００７】
本態様によれば、圧電素子に対してその分極方向に交番電圧を印加すると、圧電素子が分極方向に直交する方向、すなわち、光ファイバの長手方向に伸縮することによって振動が発生し、圧電素子の振動が弾性部を介して光ファイバに伝達される。また、弾性部を支持する支持部により、圧電素子において発生した振動が光ファイバの基端側に逃げてしまうのが抑制される。これにより、光ファイバの先端を安定して振動させて、光ファイバの先端から出射される光を光ファイバの振動に応じて精度よく走査させることができる。【０００８】
この光ファイバスキャナは、製造時において、弾性部と支持部とを指標に基づいて位置決め状態に嵌合させることにより、弾性部と支持部との組み付け位置が一定になる。したがって、光ファイバスキャナごとに弾性部と支持部の組み付けにばらつきが生じるのを防ぐことができる。これにより、光ファイバから出射した光を被写体に照射する照明光学系に対して光ファイバを簡易に精度よく位置合わせすることができる。なお、指標は、支持部や弾性部に付したマークや支持部や弾性部の端面等でもよい。【０００９】
上記態様においては、前記支持部および前記弾性部の少なくとも一方の前記指標が、外側表面に付されたマークであることとしてもよい。
このように構成することで、支持部や弾性部の形状に関わらず、マークにより支持部や弾性部の所望の位置を嵌合状態の組み付け位置とすることができる。【００１０】
上記態様においては、前記指標が、前記光ファイバの長手方向に沿って延びるライン形状を有することとしてもよい。
このように構成することで、指標により、光ファイバの径方向および周方向の組み付け位置が明りょうになる。したがって、弾性部と支持部との光ファイバの径方向および周方向の位置決めの容易性および組み付け精度を向上することができる。【００１１】
上記態様においては、前記指標が、前記光ファイバの長手方向に略直交する方向に沿って延びるライン形状を有することとしてもよい。
このように構成することで、指標により、光ファイバの長手方向の組み付け位置が明りょうになる。したがって、弾性部と支持部との光ファイバの長手方向の位置決めの容易性および組み付け精度を向上することができる。【００１２】
本発明の第２態様は、上記いずれかの光ファイバスキャナと、前記光ファイバにより導光する光を発生する光源と、前記光ファイバから出射された光を集光する集光レンズと、該集光レンズおよび前記光ファイバスキャナを収容し、前記支持部を保持する外筒とを備える照明装置である。【００１３】
本態様によれば、組み立て性が向上した光ファイバスキャナにより、光ファイバと集光レンズとを精度よく位置合わせして、照明装置間の性能差を抑制することができる。したがって、光源から発せられた光を精度よく走査させて、集光レンズにより被写体の所望の位置に照射することができる。【００１４】
本発明の第３態様は、上記の照明装置と、該照明装置によって被写体に光が照射されることにより、該被写体から戻る戻り光を検出する光検出部とを備える観察装置である。【００１５】
本態様によれば、照明装置により光が走査された被写体上の所望の範囲から戻る戻り光が光検出部により検出される。したがって、被写体の所望の観察範囲の画像情報を取得して正確な観察を実現することができる。
【発明の効果】
【００１６】
本発明によれば、弾性部と支持部との組み付けのばらつきを防いで組み立て性を向上することができるという効果を奏する。
【図面の簡単な説明】
【００１７】
【図１】本発明の一実施形態に係る内視鏡装置を示す全体構成図である。
【図２】図１の光ファイバスキャナを示す全体構成図である。
【図３】図２の弾性部を照明用光ファイバの径方向に切断した断面図である。
【図４】図２の固定部を照明用光ファイバの径方向に切断した断面図である。
【図５】本発明の一実施形態の第１変形例に係る光ファイバスキャナを示す全体構成図である。
【図６】本発明の一実施形態の第２変形例に係る光ファイバスキャナを示す全体構成図である。
【図７】本発明の一実施形態の第３変形例に係る弾性部と固定部のマークの一例を示す図である。
【図８】本発明の一実施形態の第３変形例に係る弾性部と固定部のマークの他の一例を示す図である。
【図９】図８の弾性部と固定部を単体方向から見た図である。
【発明を実施するための形態】
【００１８】
本発明の一実施形態に係る光ファイバスキャナ、照明装置および観察装置について図面を参照して以下に説明する。
本実施形態に係る内視鏡装置（観察装置）１００は、図１に示すように、照明光を発生させる光源１と、被写体（図示略）に照明光を照射する照明装置３と、照明光が照射されることにより被写体から戻る反射光や蛍光等の戻り光を検出するフォトダイオードのような光検出器（光検出部）５と、これら照明装置３および光検出器５の制御等を行う制御装置７とを備えている。
【００１９】
照明装置３は、光源１から発せられた照明光を導光して先端から出射する照明用光ファイバ１１を有する光ファイバスキャナ１０と、照明用光ファイバ１１から出射された照明光を集光する集光レンズ１３と、これらの光ファイバスキャナ１０および集光レンズ１３を収納する細長い筒状の内視鏡枠体（外筒）１５と、内視鏡枠体１５の外周面上に配され、被写体からの戻り光を光検出器５に導光する複数の検出用光ファイバ１７とを備えている。
【００２０】
光源１および光検出器５は、光ファイバスキャナ１０の基端側に配置されている。
制御装置７は、照明装置３および光検出器５を制御するＣＰＵ（図示略）と、このＣＰＵを作動するプログラムと、ＣＰＵに入力する各種信号等を記憶するメモリとを備えている。
【００２１】
光ファイバスキャナ１０は、図２〜図４に示すように、マルチモードファイバまたはシングルモードファイバのような照明用光ファイバ（光ファイバ）１１と、照明用光ファイバ１１の先端よりも基端側を嵌合する弾性材料からなる筒形状の弾性部２１と、弾性部２１に固定された４枚の圧電素子２３と、弾性部２１を介して照明用光ファイバ１１を支持する固定部（支持部）２５と、駆動用のリード線（ＧＮＤ）２７Ｇおよび４本のリード線２７Ａ，２７Ｂとを備えている。
【００２２】
照明用光ファイバ１１は、図１および図２に示すように、細長いガラス材からなり、内視鏡枠体１５の長手方向に沿って配されている。また、照明用光ファイバ１１は、一端が内視鏡枠体１５の基端側の外部まで延びて光源１に接続され、他端が内視鏡枠体１５の内部の先端部近傍に配されている。
【００２３】
弾性部２１は、図３および図４に示すように、照明用光ファイバ１１が挿入された嵌合孔２１ａを有している。嵌合孔２１ａには、照明用光ファイバ１１の外周面に塗布したエポキシ系接着剤により、嵌合した照明用光ファイバ１１が接着されている。
【００２４】
また、弾性部２１は、図３に示すように、略四角柱状の外形を有しており、４つの各側面にそれぞれ圧電素子２３が貼り付けられている。この弾性部２１は、圧電素子２３において発生した振動を照明用光ファイバ１１に伝達するようになっている。
【００２５】
固定部２５は、円環形状を有しており、エポキシ系接着剤により、外周面が内視鏡枠体１５の内壁に接着されている。また、固定部２５は、図４に示すように、弾性部２１を嵌合可能な嵌合孔２５ａを有している。
【００２６】
この固定部２５は、嵌合孔２５ａにより弾性部２１における圧電素子２３に対して基端側に間隔をあけた位置を嵌合して、照明用光ファイバ１１を片持ち梁状に支持している。これにより、固定部２５は、照明用光ファイバ１１のこの位置において発生する径方向の振動を抑制するようになっている。また、仮に圧電素子２３から照明用光ファイバ１１の基端側に振動が逃げたとしても、その振動が何らかの影響を受けて形状が変化して戻ってくるのを抑制するようになっている。したがって、固定部２５により、圧電素子２３の振動形状および照明用光ファイバ１１の振動が不安定になるのを防止することができる。
【００２７】
また、固定部２５は、４枚の圧電素子２３の裏面の電極と電気的に接合しており、圧電素子２３を駆動する際の共通ＧＮＤとして機能するようになっている。この固定部２５にはリード線２７Ｇが接合されている。また、固定部２５は、リード線２７Ｇおよび４本のリード線２７Ａ，２７Ｂを収容可能な径方向に窪む５つの溝部２５ｂを外周面に有している。
【００２８】
これら溝部２５ｂは、固定部２５の外周面において周方向に間隔をあけて配され、それぞれ中心軸に平行に形成されている。したがって、溝部２５ｂに収容するリード線２７Ａ，２７Ｂを無駄に長くすることなく圧電素子２３に接続することができる。例えば、４本のリード線２７Ａ，２７Ｂを収容する４つの溝部２５ｂは、固定部２５の周方向に等間隔にずらした位置に形成されている。
【００２９】
また、これら５つの溝部２５ｂは、リード線２７Ａ，２７Ｂ，２７Ｇをほぼ完全に収容して、リード線２７Ａ，２７Ｂ，２７Ｇを各溝部２５ｂ内に固定するエポキシ系接着剤がはみ出ない深さを有している。これにより、内視鏡枠体１５に固定部２５を精度よく嵌合させることができる。
【００３０】
これら弾性部２１と固定部２５は、互いに嵌合状態の組み付け位置を示すライン形状のマーク（指標）を２つずつ有している。図２において、弾性部２１のマークを符号３１を付して示す。また、図２および図４において、固定部２５のマークを符号３３を付して示す。
【００３１】
弾性部２１の２つのマーク３１は、弾性部２１の基端側における外周面に互いに位置を周方向に９０°ずらして付され、中心軸に平行に形成されている。
固定部２５の２つのマーク３３は、例えば、固定部２５の周方向に９０°ずれた位置に配された２つの溝部２５ｂの底に、中心軸に平行に形成されている。
【００３２】
固定部２５に弾性部２１を嵌合させた状態で、これら弾性部２１および固定部２５を径方向に見て弾性部２１の２つのマーク３１と固定部２５の２つのマーク３３とがそれぞれ直線状に繋がるように位置合わせすることで、弾性部２１と固定部２５とを中心軸回りおよび径方向に位置決め状態に組み付けることができる。
【００３３】
圧電素子２３は、例えば、チタン酸ジルコン酸鉛（ＰＺＴ）などの圧電セラミックス材料からなり、細長い板状に形成されている。また、圧電素子２３は、表面に＋の電極処理が施されているとともに、裏面に−の電極処理が施されており、＋極から−極に向かう方向、すなわち、板厚方向に分極している。
【００３４】
これら４枚の圧電素子２３は、図３に示すように、弾性部２１の各側面において、それぞれ照明用光ファイバ１１の長手方向の同位置に配されている。圧電素子２３と固定部２５との隙間は、少なくとも圧電素子２３における分極方向に交差する方向の伸縮が妨げられない程度に離すことが望ましい。このようにすることで、圧電素子２３による照明用光ファイバ１１の長手方向への伸縮を固定部２５によって妨げることがない。
【００３５】
また、図３において分極の向きを矢印で示すように、照明用光ファイバ１１の径方向に対向する各一対の圧電素子２３どうしは、それぞれ分極の向きを同一方向に向けて配されている。また、導電性のエポキシ系接着剤により、一方の一対の圧電素子２３の電極面にはＡ相を構成するリード線２７Ａが接合されており、他方の一対の圧電素子２３の電極面にはＢ相を構成するリード線２７Ｂが接合されている。
【００３６】
これらの圧電素子２３は、リード線２７Ａ，２７Ｂにより、分極方向に交番電圧が印加されると、分極方向に対して直交する方向に伸縮する振動（横効果）を発生するようになっている。また、一対の圧電素子２３の内の一方が縮むと同時に他方が伸びるように伸縮するようになっている。これにより、各一対の圧電素子２３は、弾性部２１を介してその振動を照明用光ファイバ１１に伝達し、照明用光ファイバ１１の先端を長手方向に交差する方向に振動させることができるようになっている。
【００３７】
リード線２７Ｇは固定部２５の溝部２５ｂに収容されて、導電性の接着剤や半田付けにより一端が溝部２５ｂに接合されている。また、圧電素子２３に接続されたリード線２７Ａ，２７Ｂは、固定部２５の溝部２５ｂに収容されて、エポキシ系接着剤により溝部２５ｂに固定されている。
【００３８】
検出用光ファイバ１７は、細長いガラス材からなり、内視鏡枠体１５の外周面に長手方向に沿って配されている。これらの検出用光ファイバ１７は、内視鏡枠体１５の周方向に互いに間隔をあけて配されている。また、検出用光ファイバ１７は、一端が内視鏡枠体１５の先端に配され、他端が光検出器５に接続されている。
【００３９】
制御装置７は、照明装置３および光検出器５の制御の他、光検出器５により検出された戻り光の強度信号と光ファイバスキャナ１０による照明光の走査位置に関する情報（走査位置情報）とを対応付けて、画像情報を生成することができるようになっている。
【００４０】
このように構成された光ファイバスキャナ１０、照明装置３および内視鏡装置１００の作用について説明する。
本実施形態に係る光ファイバスキャナ１０、照明装置３および内視鏡装置１００を用いて被写体を観察するには、まず、内視鏡枠体１５の先端を被写体に向けて配置し、光源１から照明光を発生させる。光源１から発せられた照明光は、照明用光ファイバ１１により導光されて先端から出射され、集光レンズ１３により被写体に照射される。
【００４１】
照明光が照射されることにより被写体において反射光や蛍光等の戻り光が発生すると、その戻り光は検出用光ファイバ１７により導光されて、光検出器５により検出される。そして、制御装置７により、光検出器５から出力される戻り光の強度信号と光ファイバスキャナ１０の走査位置情報とが対応付けられて画像情報に変換される。これにより、照明光が照射された被写体の画像を生成することができる。
【００４２】
次に、光ファイバスキャナ１０による照明光の走査について説明する。
光ファイバスキャナ１０により照明光を走査させるには、まず、固定部２５における軸方向の中央付近が節で照明用光ファイバ１１の先端部が腹となるような照明用光ファイバ１１の屈曲共振周波数を励起させる。
【００４３】
一方の一対の圧電素子２３（以下、Ａ相の圧電素子２３とする。）に屈曲共振周波数に対応する交番電圧を印加すると、これらＡ相の圧電素子２３に振動が発生する。そして、Ａ相の圧電素子２３に発生した振動が弾性部２１を介して照明用光ファイバ１１に伝達され、照明用光ファイバ１１の先端部分が長手方向に交差する一方向（例えば、図３および図４のＸ軸（Ａ相）方向）に振動する。
【００４４】
同様に、他方の一対の圧電素子２３（以下、Ｂ相の圧電素子２３とする。）に屈曲共振周波数に対応する交番電圧を印加すると、これらＢ相の圧電素子２３に振動が発生する。そして、Ｂ相の圧電素子２３に発生した振動が弾性部２１を介して照明用光ファイバ１１に伝達され、照明用光ファイバ１１の先端部分がＸ軸方向に直交する一方向（例えば、図３および図４のＹ軸（Ｂ相）方向）に振動する。
【００４５】
Ａ相の圧電素子２３によるＸ軸方向の振動とＢ相の圧電素子２３によるＹ軸方向の振動とを同時に発生させて、これらＡ相の圧電素子２３およびＢ相の圧電素子２３に印加する交番信号の位相をπ／２ずらすと、照明用光ファイバ１１の先端部の振動が円軌跡を描く。この状態でＡ相の圧電素子２３およびＢ相の圧電素子２３に印加する交番電圧の大きさを徐々に増減（電圧変調）させると、照明用光ファイバ１１の先端がスパイラル状に振動する。これにより、照明用光ファイバ１１の先端から出射する照明光を被写体上でスパイラル走査させることができる。
【００４６】
この場合において、本実施形態に係る光ファイバスキャナ１０によれば、製造時において、弾性部２１と固定部２５とをマーク３１，３３に基づいて位置決め状態に嵌合させることにより、弾性部２１と固定部２５との組み付け位置が一定になる。したがって、光ファイバスキャナ１０ごとに弾性部２１と固定部２５との組み付けにばらつきが生じるのを防ぐことができる。これにより、照明用光ファイバ１１と集光レンズ１３とを簡易に精度よく位置合わせすることができる。
【００４７】
また、弾性部２１のマーク３１および固定部２５のマーク３５が、それぞれ照明用光ファイバ１１の長手方向に沿って延びるライン形状を有することで、照明用光ファイバ１１の径方向および周方向の組み付け位置が明りょうになる。したがって、弾性部２１と支持部２５との照明用光ファイバ１１の径方向および周方向の位置決めの容易性および組み付け精度を向上することができる。
【００４８】
また、本実施形態に係る照明装置３によれば、組み立て性が向上した光ファイバスキャナ１０により、照明用光ファイバ１１と集光レンズ１３とを精度よく位置合わせして、照明装置３間の性能差を抑制することができる。したがって、光源１から発せられた照明光を精度よく走査させて、集光レンズ１３により被写体の所望の位置に照射することができる。さらに、本実施形態に係る内視鏡装置１００によれば、被写体の所望の観察範囲の画像情報を取得して正確な観察を実現することができる。
【００４９】
本実施形態は以下のように変形することができる。
本実施形態においては、指標として、弾性部２１および固定部２５がそれぞれ中心軸に平行に形成されたライン形状のマーク３１，３３を有することとした。これに代えて、第１変形例としては、弾性部２１および固定部２５が、それぞれ中心軸に直交して延びる指標を採用することとしてもよい。
【００５０】
この場合、例えば、図５に示すように、弾性部２１が、指標としてライン形状のマーク３５を２つ有することとしてもよい。また、固定部２５が、指標として照明用光ファイバ１１の先端側の端面における周縁部２５ｃを採用することとしてもよい。このようにすることで、照明用光ファイバ１１の長手方向の組み付け位置が明りょうになり、弾性部２１への固定部２５の押し込み量が調整しやすくなる。
【００５１】
したがって、固定部２５に弾性部２１を嵌合させた状態で、弾性部２１および固定部２５を径方向に見て、弾性部２１の２つのマーク３５と固定部２５の端面の周縁部２５ｃとがそれぞれ直線状に重なるように位置合わせすることで、これら弾性部２１と固定部２５とを照明用光ファイバ１１の長手方向に位置決め状態に組み付けることができる。これにより、弾性部２１と固定部２５との照明用光ファイバ１１の長手方向の位置決めの容易性および組み付け精度を向上することができる。
【００５２】
第２変形例としては、例えば、図６に示すように、弾性部２１が、指標として、中心軸に平行なライン形状のマーク３１と、マーク３１に直交するライン形状のマーク３５をそれぞれ２つずつ有することとしてもよい。また、固定部２５が、指標として、中心軸に平行なライン形状のマーク３３を２つと、照明用光ファイバ１１の先端側の端面における周縁部２５ｃとを採用することとしてもよい。
【００５３】
このようにすることで、弾性部２１および固定部２５を径方向に見て、弾性部２１の２つのマーク３１と固定部２５の２つのマーク３３とがそれぞれ直線状に繋がるとともに、弾性部２１の２つのマーク３５と固定部２５の端面の周縁部２５ｃとがそれぞれ直線状に重なるように位置合わせすれば、弾性部２１と固定部２５とを中心軸回り、径方向および長手方向に位置決め状態に組み付けることができる。
【００５４】
また、第３変形例としては、例えば、図７から図９に示すように、弾性部２１に代えて、固定部２５の嵌合孔２５ａに嵌合可能な直径を有する円柱部材の円筒面４１ａの一部を周方向に等間隔に４つ残して、ワイヤー放電加工等により略角柱状に形成した弾性部４１を採用することとしてもよい。このようにすることで、固定部２５に弾性部４１を嵌合させるだけで、固定部２５と弾性部４１とを径方向に位置決めすることができる。
【００５５】
この場合、図７に示すように、弾性部４１が、弾性部４１における照明用光ファイバ１１の先端側とは反対側の端面において、各円筒面４１ａから中心軸に向かって延びる４つのライン形状のマーク（指標）４３を４つ有することとしてもよい。また、固定部２５が、固定部２５における照明用光ファイバ１１の先端側とは反対側の端面において、周方向に等間隔にずらした位置にそれぞれ中心軸から径方向外方に延びるライン形状のマーク４５を４つ有することとしてもよい。
【００５６】
このようにすることで、固定部２５に弾性部４１を嵌合させた状態で、これら固定部２５および弾性部４１を軸方向に見て弾性部４１の４つのマーク４３と固定部２５の４つのマーク４５とがそれぞれ直線状に繋がるように位置合わせすることで、固定部２５と弾性部４１とを径方向に加えて周方向に位置決め状態に組み付けることができる。
【００５７】
また、図８および図９に示すに示すように、弾性部４１が、弾性部４１における照明用光ファイバ１１の先端側とは反対側の端部において、各円筒面４１ａに中心軸に平行なライン形状のマーク４７を有することとしてもよい。また、固定部２５が、固定部２５における照明用光ファイバ１１の先端側の端面において、周方向に等間隔にずらした位置にそれぞれ中心軸から径方向外方に向かって延びるライン形状のマーク４９を４つ有することとしてもよい。
【００５８】
この場合、固定部２５に弾性部４１を嵌合させた状態で、弾性部４１および固定部２５を中心軸方向に見て、弾性部４１の４つのマーク４７と固定部２５の４つのマーク４９とがそれぞれ繋がるように位置合わせすることで、弾性部４１と固定部２５とを径方向に加えて周方向および長手方向に位置決め状態に組み付けることができる。
【００５９】
以上、本発明の一実施形態について図面を参照して詳述してきたが、具体的な構成はこの実施形態に限られるものではなく、本発明の要旨を逸脱しない範囲の設計変更等も含まれる。例えば、本発明を上記の一実施形態およびその変形例に適用したものに限定されることなく、これらの実施形態およびその変形例を適宜組み合わせた実施形態に適用してもよく、特に限定されるものではない。
【００６０】
また、本実施形態および各変形例においては、指標としてライン形状のマーク３１，３３，３５，４３，４５，４７，４９や端面の周縁部２５ｃを採用することとした。指標は、弾性部２１、４１と固定部２５との嵌合状態の組み付け位置を示すことができるものであればよく、例えば、矢印や色分け等でもよい。また、指標は、上記実施形態および各変形例において例示した数に限定されるものではなく、弾性部２１、４１と固定部２５とを精度よく組み付けることができる数であればよい。
【符号の説明】
【００６１】
１    光源
３    照明装置
５    光検出器（光検出部）
１０    光ファイバスキャナ
１１    照明用光ファイバ（光ファイバ）
１３    集光レンズ
１５    内視鏡枠体（外筒）
２１    弾性部
２３    圧電素子
２５    固定部（支持部）
３１，３３，３５，４３，４５，４７，４９    マーク（指標）
１００    内視鏡装置（観察装置）
【図１】
2016075758.tif 000003
【図２】
2016075758.tif 000004
【図３】
2016075758.tif 000005
【図４】
2016075758.tif 000006
【図５】
2016075758.tif 000007
【図６】
2016075758.tif 000008
【図７】
2016075758.tif 000009
【図８】
2016075758.tif 000010
【図９】
2016075758.tif 000011
【国際調査報告】
2016075758.tif 000012
2016075758.tif 000013
2016075758.tif 000014
2016075758.tif 000015